【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
送信方法であって、
少なくとも第１の生成方式と第２の生成方式とを含む複数の生成方式から一つの生成方式を選択する選択処理と、
前記選択された生成方式に従って、複数スロットのそれぞれにおいて送信データから第１の送信信号ｚ１および第２の送信信号ｚ２を生成する生成処理と、
前記第１の送信信号ｚ１と前記第２の送信信号ｚ２のそれぞれを、第１のアンテナおよび第２のアンテナから同一の周波数で同時に送信する送信処理と、を含み、
前記生成処理は、
前記送信データから第１の変調信号ｓ１と第２の変調信号ｓ２とをスロット毎に生成する変調処理と、
前記第１の変調信号ｓ１と前記第２の変調信号ｓ２とに対して、行列Ｆで表されるプリコーディングを施すプリコーディング処理と、
スロット毎に位相変更方式を規則的に変えながら、前記プリコーディング処理された信号のうち少なくともいずれか一方に対して位相変更を施す位相変更処理と、
を含み、
前記行列Ｆは、
【数１】
2012129579.tif 000001
と表され、
前記第１の生成方式において前記変調処理で使用される第１の変調方式は、前記第２の生成方式において前記変調処理で使用される第２の変調方式とは異なり、
前記第１の生成方式における行列Ｆのαとして使用される第１の値は、前記第２の生成方式における行列Ｆのαとして使用される第２の値とは異なる
ことを特徴とする送信方法。
【請求項２】
送信装置であって、
少なくとも第１の生成方式と第２の生成方式とを含む複数の生成方式から一つの生成方式を選択する選択手段と、
前記選択された生成方式に従って、複数スロットのそれぞれにおいて送信データから第１の送信信号ｚ１および第２の送信信号ｚ２を生成する生成手段と、
前記第１の送信信号ｚ１と前記第２の送信信号ｚ２のそれぞれを、第１のアンテナおよび第２のアンテナから同一の周波数で同時に送信する送信手段と、を備え、
前記生成手段は、
前記送信データから第１の変調信号ｓ１と第２の変調信号ｓ２とをスロット毎に生成する変調手段と、
前記第１の変調信号ｓ１と前記第２の変調信号ｓ２とに対して、行列Ｆで表されるプリコーディングを施すプリコーディング手段と、
スロット毎に位相変更方式を規則的に変えながら、前記プリコーディング処理された信号のうち少なくともいずれか一方に対して位相変更を施す位相変更手段と、
を含み、
前記行列Ｆは、
【数２】
2012129579.tif 000002
と表され、
前記第１の生成方式において前記変調処理で使用される第１の変調方式は、前記第２の生成方式において前記変調処理で使用される第２の変調方式とは異なり、
前記第１の生成方式における行列Ｆのαとして使用される第１の値は、前記第２の生成方式における行列Ｆのαとして使用される第２の値とは異なる
ことを特徴とする送信装置。
【請求項３】
受信方法であって、
受信信号を取得し、前記受信信号はそれぞれ同一の周波数で同時に第１のアンテナ及び第２のアンテナから送信された第１の送信信号ｚ１と第２の送信信号ｚ２を受信して得られ、前記第１の送信信号ｚ１及び前記第２の送信信号ｚ２は所定の生成処理を用いて生成されており、
取得した前記受信信号に対して、前記所定の生成処理に応じた復調処理を施して受信データを生成する処理を含み、
前記所定の生成処理は、
少なくとも第１の生成方式と第２の生成方式とを含む複数の生成方式から一つの生成方式を選択する選択処理と、
前記選択された生成方式に従って、複数スロットのそれぞれにおいて送信データから第１の送信信号ｚ１および第２の送信信号ｚ２を生成する送信信号生成処理と、
前記第１の送信信号ｚ１と前記第２の送信信号ｚ２のそれぞれを、第１のアンテナおよび第２のアンテナから同一の周波数で同時に送信する送信処理と、を含み、
前記送信信号生成処理は、
前記送信データから第１の変調信号ｓ１と第２の変調信号ｓ２とをスロット毎に生成する変調処理と、
前記第１の変調信号ｓ１と前記第２の変調信号ｓ２とに対して、行列Ｆで表されるプリコーディングを施すプリコーディング処理と、
スロット毎に位相変更方式を規則的に変えながら、前記プリコーディング処理された信号のうち少なくともいずれか一方に対して位相変更を施す位相変更処理と、
を含み、
前記行列Ｆは、
【数３】
2012129579.tif 000003
と表され、
前記第１の生成方式において前記変調処理で使用される第１の変調方式は、前記第２の生成方式において前記変調処理で使用される第２の変調方式とは異なり、
前記第１の生成方式における行列Ｆのαとして使用される第１の値は、前記第２の生成方式における行列Ｆのαとして使用される第２の値とは異なる
ことを特徴とする受信方法。
【請求項４】
受信装置であって、
所定の生成処理を用いて生成され、それぞれ同一の周波数で同時に第１のアンテナ及び第２のアンテナから送信された第１の送信信号ｚ１と第２の送信信号ｚ２を受信して得られる受信信号を取得する取得部と、
取得した前記受信信号に対して、前記所定の生成処理に応じた復調処理を施して受信データを得る復調部とを備え、
前記所定の生成処理は、
少なくとも第１の生成方式と第２の生成方式とを含む複数の生成方式から一つの生成方式を選択する選択処理と、
前記選択された生成方式に従って、複数スロットのそれぞれにおいて送信データから第１の送信信号ｚ１および第２の送信信号ｚ２を生成する送信信号生成処理と、
前記第１の送信信号ｚ１と前記第２の送信信号ｚ２のそれぞれを、第１のアンテナおよび第２のアンテナから同一の周波数で同時に送信する送信処理と、を含み、
前記送信信号生成処理は、
前記送信データから第１の変調信号ｓ１と第２の変調信号ｓ２とをスロット毎に生成する変調処理と、
前記第１の変調信号ｓ１と前記第２の変調信号ｓ２とに対して、行列Ｆで表されるプリコーディングを施すプリコーディング処理と、
スロット毎に位相変更方式を規則的に変えながら、前記プリコーディング処理された信号のうち少なくともいずれか一方に対して位相変更を施す位相変更処理と、
を含み、
前記行列Ｆは、
【数４】
2012129579.tif 000004
と表され、
前記第１の生成方式において前記変調処理で使用される第１の変調方式は、前記第２の生成方式において前記変調処理で使用される第２の変調方式とは異なり、
前記第１の生成方式における行列Ｆのαとして使用される第１の値は、前記第２の生成方式における行列Ｆのαとして使用される第２の値とは異なる
ことを特徴とする受信装置。
【手続補正２】
【補正対象書類名】明細書
【補正対象項目名】００１０
【補正方法】変更
【補正の内容】
【００１０】
【非特許文献１】"Ａｃｈｉｅｖｉｎｇ  ｎｅａｒ−ｃａｐａｃｉｔｙ  ｏｎ  ａ  ｍｕｌｔｉｐｌｅ−ａｎｔｅｎｎａ  ｃｈａｎｎｅｌ"  ＩＥＥＥ  Ｔｒａｎｓａｃｔｉｏｎ  ｏｎ  ｃｏｍｍｕｎｉｃａｔｉｏｎｓ，  ｖｏｌ．５１，  ｎｏ．３，  ｐｐ．３８９−３９９，  Ｍａｒｃｈ  ２００３．
【非特許文献２】"Ｐｅｒｆｏｒｍａｎｃｅ  ａｎａｌｙｓｉｓ  ａｎｄ  ｄｅｓｉｇｎ  ｏｐｔｉｍｉｚａｔｉｏｎ  ｏｆ  ＬＤＰＣ−ｃｏｄｅｄ  ＭＩＭＯ  ＯＦＤＭ  ｓｙｓｔｅｍｓ"  ＩＥＥＥ  Ｔｒａｎｓ．  Ｓｉｇｎａｌ  Ｐｒｏｃｅｓｓｉｎｇ．，  ｖｏｌ．５２，  ｎｏ．２，  ｐｐ．３４８−３６１，  Ｆｅｂ．  ２００４．
【非特許文献３】"ＢＥＲ  ｐｅｒｆｏｒｍａｎｃｅ  ｅｖａｌｕａｔｉｏｎ  ｉｎ  ２ｘ２  ＭＩＭＯ  ｓｐａｔｉａｌ  ｍｕｌｔｉｐｌｅｘｉｎｇ  ｓｙｓｔｅｍｓ  ｕｎｄｅｒ  Ｒｉｃｉａｎ  ｆａｄｉｎｇ  ｃｈａｎｎｅｌｓ，"  ＩＥＩＣＥ  Ｔｒａｎｓ．  Ｆｕｎｄａｍｅｎｔａｌｓ，  ｖｏｌ．Ｅ９１−Ａ，  ｎｏ．１０，  ｐｐ．２７９８−２８０７，  Ｏｃｔ．  ２００８．
【非特許文献４】"Ｔｕｒｂｏ  ｓｐａｃｅ−ｔｉｍｅ  ｃｏｄｅｓ  ｗｉｔｈ  ｔｉｍｅ  ｖａｒｙｉｎｇ  ｌｉｎｅａｒ  ｔｒａｎｓｆｏｒｍａｔｉｏｎｓ，  "ＩＥＥＥ  Ｔｒａｎｓ．  Ｗｉｒｅｌｅｓｓ  ｃｏｍｍｕｎｉｃａｔｉｏｎｓ，  ｖｏｌ．６，  ｎｏ．２，  ｐｐ．４８６−４９３，  Ｆｅｂ．  ２００７．
【非特許文献５】"Ｌｉｋｅｌｉｈｏｏｄ  ｆｕｎｃｔｉｏｎ  ｆｏｒ  ＱＲ−ＭＬＤ  ｓｕｉｔａｂｌｅ  ｆｏｒ  ｓｏｆｔ−ｄｅｃｉｓｉｏｎ  ｔｕｒｂｏ  ｄｅｃｏｄｉｎｇ  ａｎｄ  ｉｔｓ  ｐｅｒｆｏｒｍａｎｃｅ，"  ＩＥＩＣＥ  Ｔｒａｎｓ．  Ｃｏｍｍｕｎ．，  ｖｏｌ．Ｅ８８−Ｂ，  ｎｏ．１，  ｐｐ．４７−５７，  Ｊａｎ．  ２００４．
【非特許文献６】「Ｓｈａｎｎｏｎ限界への道標："Ｐａｒａｌｌｅｌ  ｃｏｎｃａｔｅｎａｔｅｄ  （Ｔｕｒｂｏ）  ｃｏｄｉｎｇ"，  "Ｔｕｒｂｏ  （ｉｔｅｒａｔｉｖｅ）  ｄｅｃｏｄｉｎｇ"とその周辺」電子情報通信学会、信学技法ＩＴ９８−５１
【非特許文献７】"Ａｄｖａｎｃｅｄ  ｓｉｇｎａｌ  ｐｒｏｃｅｓｓｉｎｇ  ｆｏｒ  ＰＬＣｓ：  Ｗａｖｅｌｅｔ−ＯＦＤＭ，"  Ｐｒｏｃ．  ｏｆ  ＩＥＥＥ  Ｉｎｔｅｒｎａｔｉｏｎａｌ  ｓｙｍｐｏｓｉｕｍ  ｏｎ  ＩＳＰＬＣ  ２００８，  ｐｐ．１８７−１９２，  ２００８．
【非特許文献８】Ｄ．  Ｊ．  Ｌｏｖｅ，  ａｎｄ  Ｒ．  Ｗ．  ｈｅａｔｈ，  Ｊｒ．，  "Ｌｉｍｉｔｅｄ  ｆｅｅｄｂａｃｋ  ｕｎｉｔａｒｙ  ｐｒｅｃｏｄｉｎｇ  ｆｏｒ  ｓｐａｔｉａｌ  ｍｕｌｔｉｐｌｅｘｉｎｇ  ｓｙｓｔｅｍｓ，"  ＩＥＥＥ  Ｔｒａｎｓ．  Ｉｎｆ．  Ｔｈｅｏｒｙ，  ｖｏｌ．５１，  ｎｏ．８，  ｐｐ．２９６７−２９７６，  Ａｕｇ．  ２００５．
【非特許文献９】ＤＶＢ  Ｄｏｃｕｍｅｎｔ  Ａ１２２，  Ｆｒａｍｉｎｇ  ｓｔｒｕｃｔｕｒｅ，  ｃｈａｎｎｅｌ  ｃｏｄｉｎｇ  ａｎｄ  ｍｏｄｕｌａｔｉｏｎ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅ，ｍ  （ＤＶＢ−Ｔ２），  Ｊｕｎｅ  ２００８．
【非特許文献１０】Ｌ．  Ｖａｎｇｅｌｉｓｔａ，  Ｎ．  Ｂｅｎｖｅｎｕｔｏ，  ａｎｄ  Ｓ．  Ｔｏｍａｓｉｎ，  "Ｋｅｙ  ｔｅｃｈｎｏｌｏｇｉｅｓ  ｆｏｒ  ｎｅｘｔ−ｇｅｎｅｒａｔｉｏｎ  ｔｅｒｒｅｓｔｒｉａｌ  ｄｉｇｉｔａｌ  ｔｅｌｅｖｉｓｉｏｎ  ｓｔａｎｄａｒｄ  ＤＶＢ−Ｔ２，"  ＩＥＥＥ  Ｃｏｍｍｕｎ．  Ｍａｇａｚｉｎｅ，  ｖｏｌ．４７，  ｎｏ．１０，  ｐｐ．１４６−１５３，  Ｏｃｔ．  ２００９．
【非特許文献１１】Ｔ．  Ｏｈｇａｎｅ，  Ｔ．  Ｎｉｓｈｉｍｕｒａ，  ａｎｄ  Ｙ．  Ｏｇａｗａ，  "Ａｐｐｌｉｃａｔｉｏｎ  ｏｆ  ｓｐａｃｅ  ｄｉｖｉｓｉｏｎ  ｍｕｌｔｉｐｌｅｘｉｎｇ  ａｎｄ  ｔｈｏｓｅ  ｐｅｒｆｏｒｍａｎｃｅ  ｉｎ  ａ  ＭＩＭＯ  ｃｈａｎｎｅｌ，"  ＩＥＩＣＥ  Ｔｒａｎｓ．  Ｃｏｍｍｕｎ．，  ｖｏｌ．Ｅ８８−Ｂ，  ｎｏ．５，  ｐｐ．１８４３−１８５１，  Ｍａｙ  ２００５．
【非特許文献１２】Ｒ．  Ｇ．  Ｇａｌｌａｇｅｒ，  "Ｌｏｗ−ｄｅｎｓｉｔｙ  ｐａｒｉｔｙ−ｃｈｅｃｋ  ｃｏｄｅｓ，"  ＩＲＥ  Ｔｒａｎｓ．  Ｉｎｆｏｒｍ．  Ｔｈｅｏｒｙ，  ＩＴ−８，  ｐｐ−２１−２８，  １９６２．
【非特許文献１３】Ｄ．  Ｊ．  Ｃ．  Ｍａｃｋａｙ，  "Ｇｏｏｄ  ｅｒｒｏｒ−ｃｏｒｒｅｃｔｉｎｇ  ｃｏｄｅｓ  ｂａｓｅｄ  ｏｎ  ｖｅｒｙ  ｓｐａｒｓｅ  ｍａｔｒｉｃｅｓ，"  ＩＥＥＥ  Ｔｒａｎｓ．  Ｉｎｆｏｒｍ．  Ｔｈｅｏｒｙ，  ｖｏｌ．４５，  ｎｏ．２，  ｐｐ３９９−４３１，  Ｍａｒｃｈ  １９９９．
【非特許文献１４】ＥＴＳＩ  ＥＮ  ３０２  ３０７，  "Ｓｅｃｏｎｄ  ｇｅｎｅｒａｔｉｏｎ  ｆｒａｍｉｎｇ  ｓｔｒｕｃｔｕｒｅ，  ｃｈａｎｎｅｌ  ｃｏｄｉｎｇ  ａｎｄ  ｍｏｄｕｌａｔｉｏｎ  ｓｙｓｔｅｍｓ  ｆｏｒ  ｂｒｏａｄｃａｓｔｉｎｇ，  ｉｎｔｅｒａｃｔｉｖｅ  ｓｅｒｖｉｃｅｓ，  ｎｅｗｓ  ｇａｔｈｅｒｉｎｇ  ａｎｄ  ｏｔｈｅｒ  ｂｒｏａｄｂａｎｄ  ｓａｔｅｌｌｉｔｅ  ａｐｐｌｉｃａｔｉｏｎｓ，  "  ｖ．１．１．２，  Ｊｕｎｅ  ２００６．
【非特許文献１５】Ｙ．−Ｌ．  Ｕｅｎｇ，  ａｎｄ  Ｃ．−Ｃ．  Ｃｈｅｎｇ，  "ａ  ｆａｓｔ−ｃｏｎｖｅｒｇｅｎｃｅ  ｄｅｃｏｄｉｎｇ  ｍｅｔｈｏｄ  ａｎｄ  ｍｅｍｏｒｙ−ｅｆｆｉｃｉｅｎｔ  ＶＬＳＩ  ｄｅｃｏｄｅｒ  ａｒｃｈｉｔｅｃｔｕｒｅ  ｆｏｒ  ｉｒｒｅｇｕｌａｒ  ＬＤＰＣ  ｃｏｄｅｓ  ｉｎ  ｔｈｅ  ＩＥＥＥ  ８０２．１６ｅ  ｓｔａｎｄａｒｄｓ，"  ＩＥＥＥ  ＶＴＣ−２００７  Ｆａｌｌ，  ｐｐ．１２５５−１２５９．
【非特許文献１６】Ｓ．Ｍ．Ａｌａｍｏｕｔｉ、  "Ａ  ｓｉｍｐｌｅ  ｔｒａｎｓｍｉｔ  ｄｉｖｅｒｓｉｔｙ  ｔｅｃｈｎｉｑｕｅ  ｆｏｒ  ｗｉｒｅｌｅｓｓ  ｃｏｍｍｕｎｉｃａｔｉｏｎｓ，"ＩＥＥＥ  Ｊ．  Ｓｅｌｅｃｔ．  Ａｒｅａｓ  Ｃｏｍｍｕｎ．，  ｖｏｌ．１６，  ｎｏ．８，  ｐｐ．１４５１−１４５８，  Ｏｃｔ  １９９８．
【非特許文献１７】Ｖ．  Ｔａｒｏｋｈ，  Ｈ．  Ｊａｆｒｋｈａｎｉ，  ａｎｄ  Ａ．Ｒ．Ｃａｌｄｅｒｂａｎｋ、  "Ｓｐａｃｅ−ｔｉｍｅ  ｂｌｏｃｋ  ｃｏｄｉｎｇ  ｆｏｒ  ｗｉｒｅｌｅｓｓ  ｃｏｍｍｕｎｉｃａｔｉｏｎｓ：  Ｐｅｒｆｏｒｍａｎｃｅ  ｒｅｓｕｌｔｓ、"ＩＥＥＥ  Ｊ．  Ｓｅｌｅｃｔ．  Ａｒｅａｓ  Ｃｏｍｍｕｎ．，  ｖｏｌ.１７，  ｎｏ．３，  no.３，  ｐｐ．４５１―４６０，  Ｍａｒｃｈ １９９９．
【手続補正３】
【補正対象書類名】明細書
【補正対象項目名】００２６
【補正方法】変更
【補正の内容】
【００２６】
＜反復検波方法＞
ここでは、ＮtｘＮr空間多重ＭＩＭＯシステムにおけるＭＩＭＯ信号の反復検波について述べる。
ｕmnの対数尤度比を式（６）のように定義する。
【手続補正４】
【補正対象書類名】明細書
【補正対象項目名】００８５
【補正方法】変更
【補正の内容】
【００８５】
重み付け合成部３０８Ｂは、ベースバンド信号３０７Ａ、ベースバンド信号３０７Ｂ、信号処理方法に関する情報３１５を入力とし、信号処理方法に関する情報３１５に基づいて、ベースバンド信号３０７Ａおよびベースバンド信号３０７Ｂを重み付け合成し、重み付け合成後の信号３１６Ｂを出力する。
【手続補正５】
【補正対象書類名】明細書
【補正対象項目名】０１１０
【補正方法】変更
【補正の内容】
【０１１０】
【数４１】
2012129579.tif 000005
【手続補正６】
【補正対象書類名】明細書
【補正対象項目名】０１１２
【補正方法】変更
【補正の内容】
【０１１２】
【数４２】
2012129579.tif 000006
【手続補正７】
【補正対象書類名】明細書
【補正対象項目名】０１３３
【補正方法】変更
【補正の内容】
【０１３３】
【数４８】
2012129579.tif 000007
【手続補正８】
【補正対象書類名】明細書
【補正対象項目名】０１３４
【補正方法】変更
【補正の内容】
【０１３４】
このとき、受信装置は、Ｈ（ｔ）×Ｙ（ｔ）×Ｆを得ることで、受信ベクトルＲ（ｔ）に対して非特許文献２、非特許文献３の復号方法を適用することができる。
したがって、図８の係数生成部８１９は、送信装置が通知した送信方法の情報（用いた固定のプリコーディング行列及び位相を変更していた場合の位相変更パターンを特定するための情報）に関する信号８１８（図７の７１０に相当）を入力とし、信号処理方法の情報に関する信号８２０を出力する。
【手続補正９】
【補正対象書類名】明細書
【補正対象項目名】０１３５
【補正方法】変更
【補正の内容】
【０１３５】
ＩＮＮＥＲ  ＭＩＭＯ検波部８０３は、信号処理方法の情報に関する信号８２０を入力とし、この信号を利用して、式（４８）の関係を利用することで、反復検波・復号を行うことになるがその動作について説明する。
【手続補正１０】
【補正対象書類名】明細書
【補正対象項目名】０１３７
【補正方法】変更
【補正の内容】
【０１３７】
図８において、記憶部８１５は、ベースバンド信号８０１Ｘ（図７のベースバンド信号７０４＿Ｘに相当する。）、チャネル推定信号群８０２Ｘ（図７のチャネル推定信号７０６＿１、７０６＿２に相当する。）、ベースバンド信号８０１Ｙ（図７のベースバンド信号７０４＿Ｙに相当する。）、チャネル推定信号群８０２Ｙ（図７のチャネル推定信号７０８＿１、７０８＿２に相当する。）を入力とし、反復復号（反復検波）を実現するために、式（４８）におけるＨ（ｔ）×Ｙ（ｔ）×Ｆを実行（算出）し、算出した行列を変形チャネル信号群として記憶する。そして、記憶部８１５は、必要なときに上記信号を、ベースバンド信号８１６Ｘ、変形チャネル推定信号群８１７Ｘ、ベースバンド信号８１６Ｙ、変形チャネル推定信号群８１７Ｙとして出力する。
【手続補正１１】
【補正対象書類名】明細書
【補正対象項目名】０１３８
【補正方法】変更
【補正の内容】
【０１３８】
その後の動作については、初期検波の場合と反復復号（反復検波）の場合を分けて説明する。
＜初期検波の場合＞
ＩＮＮＥＲ  ＭＩＭＯ検波部８０３は、ベースバンド信号８０１Ｘ、チャネル推定信号群８０２Ｘ、ベースバンド信号８０１Ｙ、チャネル推定信号群８０２Ｙを入力とする。ここでは、変調信号（ストリーム）ｓ１、変調信号（ストリーム）ｓ２の変調方式が１６ＱＡＭとして説明する。
【手続補正１２】
【補正対象書類名】明細書
【補正対象項目名】０１３９
【補正方法】変更
【補正の内容】
【０１３９】
ＩＮＮＥＲ  ＭＩＭＯ検波部８０３は、まず、チャネル推定信号群８０２Ｘ、チャネル推定信号群８０２ＹからＨ（ｔ）×Ｙ（ｔ）×Ｆを実行し、ベースバンド信号８０１Ｘに対応する候補信号点を求める。そのときの様子を図１１に示す。図１１において、●（黒丸）は、ＩＱ平面における候補信号点であり、変調方式が１６ＱＡＭのため、候補信号点は２５６個存在する。（ただし、図１１では、イメージ図を示しているため、２５６個の候補信号点全ては示していない。）ここで、変調信号ｓ１で伝送する４ビットをｂ０、ｂ１、ｂ２、ｂ３、変調信号ｓ２で伝送する４ビットをｂ４、ｂ５、ｂ６、ｂ７とすると、図１１において（ｂ０，ｂ１，ｂ２，ｂ３，ｂ４，ｂ５，ｂ６，ｂ７）に対応する候補信号点が存在することになる。そして、受信信号点１１０１（ベースバンド信号８０１Ｘに相当する。）と候補信号点それぞれとの２乗ユークリッド距離を求める。そして、それぞれの２乗ユークリッド距離をノイズの分散σ2で除算する。したがって、（ｂ０，ｂ１，ｂ２，ｂ３，ｂ４，ｂ５，ｂ６，ｂ７）に対応する候補信号点と受信信号点２乗ユークリッド距離をノイズの分散で除算した値をＥX（ｂ０，ｂ１，ｂ２，ｂ３，ｂ４，ｂ５，ｂ６，ｂ７）が求まることになる。なお、各ベースバンド信号、変調信号ｓ１、ｓ２は、複素信号である。
【手続補正１３】
【補正対象書類名】明細書
【補正対象項目名】０１５０
【補正方法】変更
【補正の内容】
【０１５０】
ＩＮＮＥＲ  ＭＩＭＯ検波部８０３は、ベースバンド信号８１６Ｘ、変形チャネル推定信号群８１７Ｘ、ベースバンド信号８１６Ｙ、変形チャネル推定信号群８１７Ｙ、インタリーブ後の対数尤度比８１４Ａ、インタリーブ後の対数尤度比８１４Ｂを入力とする。ここで、ベースバンド信号８０１Ｘ、チャネル推定信号群８０２Ｘ、ベースバンド信号８０１Ｙ、チャネル推定信号群８０２Ｙではなく、ベースバンド信号８１６Ｘ、変形チャネル推定信号群８１７Ｘ、ベースバンド信号８１６Ｙ、変形チャネル推定信号群８１７Ｙを用いているのは、反復復号のため、遅延時間が発生しているためである。
【手続補正１４】
【補正対象書類名】明細書
【補正対象項目名】０１５１
【補正方法】変更
【補正の内容】
【０１５１】
ＩＮＮＥＲ  ＭＩＭＯ検波部８０３の反復復号時の動作と、初期検波時の動作の異なる点は、インタリーブ後の対数尤度比８１４Ａ、インタリーブ後の対数尤度比８１４Ｂを信号処理の際に用いていることである。ＩＮＮＥＲ  ＭＩＭＯ検波部８０３は、まず、初期検波のときと同様に、Ｅ（ｂ０，ｂ１，ｂ２，ｂ３，ｂ４，ｂ５，ｂ６，ｂ７）を求める。加えて、インタリーブ後の対数尤度比８１４Ａ、インタリーブ後の対数尤度比８１４Ｂから、式（１１）、式（３２）に相当する係数を求める。そして、Ｅ（ｂ０，ｂ１，ｂ２，ｂ３，ｂ４，ｂ５，ｂ６，ｂ７）の値をこの求めた係数を用いて補正し、その値をＥ'（ｂ０，ｂ１，ｂ２，ｂ３，ｂ４，ｂ５，ｂ６，ｂ７）とし、信号８０４として出力する。
【手続補正１５】
【補正対象書類名】明細書
【補正対象項目名】０１５４
【補正方法】変更
【補正の内容】
【０１５４】
なお、図８では、反復検波を行う場合の、信号処理部の構成について示したが、反復検波は必ずしも良好な受信品質を得る上で必須の構成ではなく、反復検波のみに必要とする構成部分、インタリーバ８１３Ａ、８１３Ｂを有していない構成でもよい。このとき、ＩＮＮＥＲ  ＭＩＭＯ検波部８０３は、反復的な検波を行わないことになる。
【手続補正１６】
【補正対象書類名】明細書
【補正対象項目名】０１５５
【補正方法】変更
【補正の内容】
【０１５５】
そして、本実施の形態で重要な部分は、Ｈ（ｔ）×Ｙ（ｔ）×Ｆの演算を行うことである。なお、非特許文献５等に示されているように、ＱＲ分解を用いて初期検波、反復検波を行ってもよい。
また、非特許文献１１に示されているように、Ｈ（ｔ）×Ｙ（ｔ）×Ｆに基づき、MMSE（Minimum Mean Square Error）、ZF（Zero Forcing）の線形演算を行い、初期検波を行ってもよい。
【手続補正１７】
【補正対象書類名】明細書
【補正対象項目名】０１８９
【補正方法】変更
【補正の内容】
【０１８９】
時間軸方向のシンボル群２２０３では、＃２０のシンボルでは時刻ｕの位相を用いた位相変更、＃２９では時刻ｕ＋１の位相を用いた位相変更、＃２１では時刻ｕ＋２の位相を用いた位相変更、＃１１では時刻ｕ＋３の位相を用いた位相変更を行うものとする。
【手続補正１８】
【補正対象書類名】明細書
【補正対象項目名】０１９５
【補正方法】変更
【補正の内容】
【０１９５】
この場合、位相変更部３１７Ｂは、選択した変調方式のマッピングにしたがったベースバンド信号ｓ２（ｔ）に対して規則的な位相の変更を実行して、ｓ２'（ｔ）＝ｓ２（ｔ）ｙ（ｔ）（但し、ｙ（ｔ）はｔにより変更される）を出力し、重み付け合成部６００は、ｓ２'（ｔ）に対してプリコーディングを実行して、ｚ２（ｔ）（＝Ｗ２ｓ２'（ｔ））（式（４２）参照）を出力し、これを送信する構成としてもよい。
【手続補正１９】
【補正対象書類名】明細書
【補正対象項目名】０１９８
【補正方法】変更
【補正の内容】
【０１９８】
ただし、位相変更部３１７Ａ及び位相変更部３１７Ｂは互いに位相を変更する位相の度合いは、同じタイミングにおいては、図２６に示すような位相の変更を行う。（ただし、以下は一つの例であり、位相の変更方法はこれに限ったものではない。）時刻ｕにおいて、図２６の位相変更部３１７Aは、ｚ１（ｔ）＝ｙ1（ｔ）ｚ１'（ｔ）となるように、また、位相変更部３１７Bは、ｚ２（ｔ）＝ｙ2（ｔ）ｚ２'（ｔ）となるように、位相の変更を行う。例えば、図２６に示すように、時刻ｕにおいて、ｙ1（ｕ）＝ｅj0、ｙ2（ｕ）＝ｅ-jπ/2、時刻ｕ＋１において、ｙ1（ｕ＋１）＝ｅjπ/4、ｙ2（ｕ＋１）＝ｅ-j3π/4、・・・、時刻ｕ＋ｋにおいて、ｙ1（ｕ＋ｋ）＝ｅjkπ/4、ｙ2（ｕ＋ｋ）＝ｅj(-kπ/4-π/2)、として位相の変更を行う。なお、位相を規則的に変更する周期は、位相変更部３１７Ａと位相変更部３１７Ｂとで同じであってもよいし、異なるものであってもよい。
【手続補正２０】
【補正対象書類名】明細書
【補正対象項目名】０２０１
【補正方法】変更
【補正の内容】
【０２０１】
次に、図６、図２５の構成の変形例について図２８、図２９を用いて説明する。図２８が図６と異なる点は、位相変更ON/OFFに関する情報２８００が存在する点、および、位相変更をｚ１'（ｔ）、ｚ２'（ｔ）のいずれかに位相変更を行う（同一時刻、または、同一周波数で、位相変更をｚ１'（ｔ）、ｚ２'（ｔ）のいずれかに対し施す。）点である。したがって、位相変更をｚ１'（ｔ）、ｚ２'（ｔ）のいずれかに位相変更を行うことになるため、図２８の位相変更部３１７A、位相変更部３１７Bは、位相変更を行う（ON）場合と位相変更を行わない（OFF）場合がある。このON/OFFに関する制御情報が、位相変更ON/OFFに関する情報２８００となる。この位相変更ON/OFFに関する情報２８００は、図３に示す信号処理方法情報生成部３１４から出力される。
【手続補正２１】
【補正対象書類名】明細書
【補正対象項目名】０２０２
【補正方法】変更
【補正の内容】
【０２０２】
図２８の位相変更部３１７Aは、ｚ１（ｔ）＝ｙ1（ｔ）ｚ１'（ｔ）となるように、また、位相変更部３１７Bは、ｚ２（ｔ）＝ｙ2（ｔ）ｚ２'（ｔ）となるように、位相の変更を行うことになる。
【手続補正２２】
【補正対象書類名】明細書
【補正対象項目名】０２０３
【補正方法】変更
【補正の内容】
【０２０３】
このとき、例えば、ｚ１'（ｔ）は、周期４で位相変更を行うものとする。（このとき、ｚ２'（ｔ）は位相変更を行わない。）したがって、時刻ｕにおいて、ｙ1（ｕ）＝ｅj0、ｙ2（ｕ）＝１、時刻ｕ＋１において、ｙ1（ｕ＋１）＝ｅjπ/2、ｙ2（ｕ＋１）＝１、時刻ｕ＋２において、ｙ1（ｕ＋２）＝ｅjπ、ｙ2（ｕ＋２）＝１、時刻ｕ＋３において、ｙ1（ｕ＋３）＝ｅj3π/2、ｙ2（ｕ＋３）＝１とするものとする。
【手続補正２３】
【補正対象書類名】明細書
【補正対象項目名】０２０４
【補正方法】変更
【補正の内容】
【０２０４】
次に、例えば、ｚ２'（ｔ）は、周期４で位相変更を行うものとする。（このとき、ｚ１'（ｔ）は位相変更を行わない。）したがって、時刻ｕ＋４において、ｙ1（ｕ＋４）＝１、ｙ2（ｕ＋４）＝ｅj0、時刻ｕ＋５において、ｙ1（ｕ＋５）＝１、ｙ2（ｕ＋５）＝ｅjπ/2、時刻ｕ＋６において、ｙ1（ｕ＋６）＝１、ｙ2（ｕ＋６）＝ｅjπ、時刻ｕ＋７において、ｙ1（ｕ＋７）＝１、ｙ2（ｕ＋７）＝ｅj3π/2とするものとする。
【手続補正２４】
【補正対象書類名】明細書
【補正対象項目名】０２０６
【補正方法】変更
【補正の内容】
【０２０６】
上述のように、ｚ１'（ｔ）のみ位相変更する時間とｚ２'（ｔ）のみ位相を変更する時間とが存在するようにする。また、ｚ１'（ｔ）のみ位相変更する時間とｚ２'（ｔ）のみ位相を変更する時間とで、位相変更の周期を構成する。なお、上述では、ｚ１'（ｔ）のみ位相変更を行う場合の周期とｚ２'（ｔ）のみ位相変更を行う場合の周期を同一にしているが、これに限ったものではなく、ｚ１'（ｔ）のみ位相変更を行う場合の周期とｚ２'（ｔ）のみ位相変更を行う場合の周期が異なっていてもよい。また、上述の例では、ｚ１'（ｔ）を４周期で位相変更を行った後にｚ２'（ｔ）を４周期で位相変更を行うように説明しているが、これに限ったものではなく、ｚ１'（ｔ）の位相変更とｚ２'（ｔ）の位相変更の順番をどのようにしてもよい（例えば、ｚ１'（ｔ）の位相変更とｚ２'（ｔ）の位相変更を交互に行っても良いし、ある規則にしたがった順番でもよいし、順番はランダムであってもよい。）
図２９の位相変更部３１７Aは、ｓ１'（ｔ）＝ｙ1（ｔ）ｓ１（ｔ）となるように、また、位相変更部３１７Bは、ｓ２'（ｔ）＝ｙ2（ｔ）ｓ２（ｔ）となるように、位相の変更を行うことになる。
【手続補正２５】
【補正対象書類名】明細書
【補正対象項目名】０２０７
【補正方法】変更
【補正の内容】
【０２０７】
このとき、例えば、ｓ１（ｔ）は、周期４で位相変更を行うものとする。（このとき、ｓ２（ｔ）は位相変更を行わない。）したがって、時刻ｕにおいて、ｙ1（ｕ）＝ｅj0、ｙ2（ｕ）＝１、時刻ｕ＋１において、ｙ1（ｕ＋１）＝ｅjπ/2、ｙ2（ｕ＋１）＝１、時刻ｕ＋２において、ｙ1（ｕ＋２）＝ｅjπ、ｙ2（ｕ＋２）＝１、時刻ｕ＋３において、ｙ1（ｕ＋３）＝ｅj3π/2、ｙ2（ｕ＋３）＝１とするものとする。
【手続補正２６】
【補正対象書類名】明細書
【補正対象項目名】０２０８
【補正方法】変更
【補正の内容】
【０２０８】
次に、例えば、ｓ２（ｔ）は、周期４で位相変更を行うものとする。（このとき、ｓ１（ｔ）は位相変更を行わない。）したがって、時刻ｕ＋４において、ｙ1（ｕ＋４）＝１、ｙ2（ｕ＋４）＝ｅj0、時刻ｕ＋５において、ｙ1（ｕ＋５）＝１、ｙ2（ｕ＋５）＝ｅjπ/2、時刻ｕ＋６において、ｙ1（ｕ＋６）＝１、ｙ2（ｕ＋６）＝ｅjπ、時刻ｕ＋７において、ｙ1（ｕ＋７）＝１、ｙ2（ｕ＋７）＝ｅj3π/2とするものとする。
【手続補正２７】
【補正対象書類名】明細書
【補正対象項目名】０２１０
【補正方法】変更
【補正の内容】
【０２１０】
上述のように、ｓ１（ｔ）のみ位相変更する時間とｓ２（ｔ）のみ位相を変更する時間とが存在するようにする。また、ｓ１（ｔ）のみ位相変更する時間とｓ２（ｔ）のみ位相を変更する時間とで、位相変更の周期を構成する。なお、上述では、ｓ１（ｔ）のみ位相変更を行う場合の周期とｓ２（ｔ）のみ位相変更を行う場合の周期を同一にしているが、これに限ったものではなく、ｓ１（ｔ）のみ位相変更を行う場合の周期とｓ２（ｔ）のみ位相変更を行う場合の周期が異なっていてもよい。また、上述の例では、ｓ１（ｔ）を４周期で位相変更を行った後にｓ２（ｔ）を４周期で位相変更を行うように説明しているが、これに限ったものではなく、ｓ１（ｔ）の位相変更とｓ２（ｔ）の位相変更の順番をどのようにしてもよい（例えば、ｓ１（ｔ）の位相変更とｓ２（ｔ）の位相変更を交互に行っても良いし、ある規則にしたがった順番でもよいし、順番はランダムであってもよい。）
これによって、受信装置側における送信信号ｚ１（ｔ）及びｚ２（ｔ）を受信したときのそれぞれの受信状態を均等にすることができるとともに、受信した信号ｚ１（ｔ）及びｚ２（ｔ）それぞれのシンボルにおいて位相が周期的に切り替えられることにより、誤り訂正復号後の誤り訂正能力を向上させることができるので、ＬＯＳ環境における受信品質を向上させることができる。
【手続補正２８】
【補正対象書類名】明細書
【補正対象項目名】０２１７
【補正方法】変更
【補正の内容】
【０２１７】
ここで、図３１のキャリア２、時刻＄２のシンボル３１００について着目する。なお、ここではキャリアと記載しているが、サブキャリアと呼称することもある。キャリア２において、時刻＄２に時間的に最も隣接するシンボル、つまりキャリア２の時刻＄１のシンボル３１０３と時刻＄３のシンボル３１０１のそれぞれのチャネル状態は、キャリア２、時刻＄２のシンボル３１００のチャネル状態と、非常に相関が高い。
【手続補正２９】
【補正対象書類名】明細書
【補正対象項目名】０２１９
【補正方法】変更
【補正の内容】
【０２１９】
上述したように、シンボル３１０１、３１０２、３１０３、３１０４のそれぞれのチャネル状態は、シンボル３１００のチャネル状態との相関が非常に高い。
本明細書において、規則的に位相を変更する送信方法において、乗じる位相として、Ｎ種類の位相（但し、Ｎは２以上の整数）を用意しているものとする。図３１に示したシンボルには、例えば、「ｅj0」という記載を付しているが、これは、このシンボルにおける図６における信号ｚ２'に対し、「ｅj0」が乗じられて位相が変更されたことを意味する。つまり、図３１の各シンボルに記載している値は、式（４２）におけるｙ（ｔ）、および、実施の形態２で説明したｚ２（ｔ）＝ｙ2（ｔ）ｚ２'（ｔ）におけるｙ2（ｔ）の値となる。
【手続補正３０】
【補正対象書類名】明細書
【補正対象項目名】０２３７
【補正方法】変更
【補正の内容】
【０２３７】
なお、図３３に示したシンボルには、例えば、「ｅj0」という記載を付しているが、これは、このシンボルにおける図２６における信号ｚ１'に対し、「ｅj0」が乗じられて位相が変更されたことを意味する。つまり、図３３の各シンボルに記載している値は、実施の形態２で説明したｚ１（ｔ）＝ｙ1（ｔ）ｚ１'（ｔ）におけるｙ1（ｔ）の値となる。
【手続補正３１】
【補正対象書類名】明細書
【補正対象項目名】０２４０
【補正方法】変更
【補正の内容】
【０２４０】
なお、図３０に示したシンボルには、例えば、「ｅj0」という記載を付しているが、これは、このシンボルにおける図２６における信号ｚ１'に対し、「ｅj0」が乗じられて位相が変更されたことを意味する。つまり、図３０の各シンボルに記載している値は、実施の形態２で説明したｚ１（ｔ）＝ｙ1（ｔ）ｚ１'（ｔ）におけるｙ1（ｔ）の値となる。
【手続補正３２】
【補正対象書類名】明細書
【補正対象項目名】０２８７
【補正方法】変更
【補正の内容】
【０２８７】
同様に考えると、変調方式が１６ＱＡＭのとき、２つの符号化後のブロックを構成するすべてのビットを送信するために１５００スロットが必要となり、変調方式が６４ＱＡＭのとき、２つの符号化後のブロックを構成するすべてのビットを送信するために１０００スロットが必要となる。
【手続補正３３】
【補正対象書類名】明細書
【補正対象項目名】０２９０
【補正方法】変更
【補正の内容】
【０２９０】
また、第１の符号化ブロックを送信するために、位相PHASE[0]を使用するスロットが６００回、位相PHASE[1]を使用するスロットが６００回、位相PHASE[2]を使用するスロットが６００回、位相PHASE[3]を使用するスロットが６００回、位相PHASE[4]を使用するスロットが６００回である必要があり、また、第２の符号化ブロックを送信するために、位相PHASE[0]を使用するスロットが６００回、位相PHASE[1]を使用するスロットが６００回、位相PHASE[2]を使用するスロットが６００回、位相PHASE[3]を使用するスロットが６００回、位相PHASE[4]を使用するスロットが６００回であるとよい。
【手続補正３４】
【補正対象書類名】明細書
【補正対象項目名】０２９２
【補正方法】変更
【補正の内容】
【０２９２】
また、第１の符号化ブロックを送信するために、位相PHASE[0]を使用するスロットが３００回、位相PHASE[1]を使用するスロットが３００回、位相PHASE[2]を使用するスロットが３００回、位相PHASE[3]を使用するスロットが３００回、位相PHASE[4]を使用するスロットが３００回である必要があり、また、第２の符号化ブロックを送信するために、位相PHASE[0]を使用するスロットが３００回、位相PHASE[1]を使用するスロットが３００回、位相PHASE[2]を使用するスロットが３００回、位相PHASE[3]を使用するスロットが３００回、位相PHASE[4]を使用するスロットが３００回であるとよい。
【手続補正３５】
【補正対象書類名】明細書
【補正対象項目名】０２９４
【補正方法】変更
【補正の内容】
【０２９４】
また、第１の符号化ブロックを送信するために、位相PHASE[0]を使用するスロットが２００回、位相PHASE[1]を使用するスロットが２００回、位相PHASE[2]を使用するスロットが２００回、位相PHASE[3]を使用するスロットが２００回、位相PHASE[4]を使用するスロットが２００回である必要があり、また、第２の符号化ブロックを送信するために、位相PHASE[0]を使用するスロットが２００回、位相PHASE[1]を使用するスロットが２００回、位相PHASE[2]を使用するスロットが２００回、位相PHASE[3]を使用するスロットが２００回、位相PHASE[4]を使用するスロットが２００回であるとよい。
【手続補正３６】
【補正対象書類名】明細書
【補正対象項目名】０３２５
【補正方法】変更
【補正の内容】
【０３２５】
また、上記の説明では、ストリーム出力ＩＦ３７０９は、復調部３７０２で復調し、誤り訂正の復号を行うことで得られた多重化データを出力するとしたが、復調部３７０２で復調し、誤り訂正の復号を行うことで得られた多重化データに含まれる映像データを、当該映像データよりもデータサイズまたはビットレートが低くなるよう、当該映像データに施された動画像符号化方法とは異なる動画像符号化方法で符号化された映像データに変換し、変換後の映像データを多重した新しい多重化データを出力してもよい。このとき、元の映像データに施された動画像符号化方法と変換後の映像データに施された動画像符号化方法とは、互いに異なる規格に準拠していてもよいし、同じ規格に準拠して符号化時に使用するパラメータのみが異なっていてもよい。同様に、ストリーム出力ＩＦ３７０９は、復調部３７０２で復調し、誤り訂正の復号を行うことで得られた多重化データに含まれる音声データを、当該音声データよりもデータサイズまたはビットレートが低くなるよう、当該音声データに施された音声符号化方法とは異なる音声符号化方法で符号化された音声データに変換し、変換後の音声データを多重した新しい多重化データを出力してもよい。
【手続補正３７】
【補正対象書類名】明細書
【補正対象項目名】０３４０
【補正方法】変更
【補正の内容】
【０３４０】
記録媒体などに記録する場合には、上記多重化データは、多重化データ情報ファイルと共に記録される。
図４３は、その多重化データ情報ファイルの構成を示す図である。多重化データ情報ファイルは、図４３に示すように多重化データの管理情報であり、多重化データと１対１に対応し、多重化データ情報、ストリーム属性情報とエントリマップから構成される。
【手続補正３８】
【補正対象書類名】明細書
【補正対象項目名】０３４２
【補正方法】変更
【補正の内容】
【０３４２】
図４４は、多重化データ情報ファイルに含まれるストリーム属性情報の構成を示す図である。ストリーム属性情報は図４４に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【手続補正３９】
【補正対象書類名】明細書
【補正対象項目名】０３５５
【補正方法】変更
【補正の内容】
【０３５５】
ストリームｓ１（ｔ）、ｓ２（ｔ）（ｓ１（ｉ）、ｓ２（ｉ））により、異なるデータを伝送してもよいし、同一のデータを伝送してもよい。
また、２ストリームのベースバンド信号ｓ１（ｉ）、ｓ２（ｉ）（ただし、ｉは、（時間、または、周波数（キャリア）の）順番をあらわす）に対し、規則的な位相変更およびプリコーディングを行い（順番はどちらが先であってもよい）生成された、両者の信号処理後のベースバンド信号ｚ１（ｉ）、ｚ２（ｉ）において、両者の信号処理後のベースバンド信号ｚ１（ｉ）の同相Ｉ成分をＩ1（ｉ）、直交成分をＱ1（ｉ）とし、両者の信号処理後のベースバンド信号ｚ２（ｉ）の同相Ｉ成分をＩ2（ｉ）、直交成分をＱ2（ｉ）とする。このとき、ベースバンド成分の入れ替えを行い、
・入れ替え後のベースバンド信号ｒ１（ｉ）の同相成分をＩ1（ｉ）、直交成分をＱ2（ｉ）、入れ替え後のベースバンド信号ｒ２（ｉ）の同相成分をＩ2（ｉ）、直交成分をＱ1（ｉ）
とし、入れ替え後のベースバンド信号ｒ１（ｉ）に相当する変調信号を送信アンテナ１、入れ替え後のベースバンド信号ｒ２（ｉ）に相当する変調信号を送信アンテナ２から、同一時刻に同一周波数を用いて送信する、というように、入れ替え後のベースバンド信号ｒ１（ｉ）に相当する変調信号と入れ替え後のベースバンド信号ｒ２（ｉ）を異なるアンテナから、同一時刻に同一周波数を用いて送信するとしてもよい。また、
・入れ替え後のベースバンド信号ｒ１（ｉ）の同相成分をＩ1（ｉ）、直交成分をI2（ｉ）、入れ替え後のベースバンド信号ｒ２（ｉ）の同相成分をＱ1（ｉ）、直交成分をＱ2（ｉ）
・入れ替え後のベースバンド信号ｒ１（ｉ）の同相成分をＩ2（ｉ）、直交成分をI1（ｉ）、入れ替え後のベースバンド信号ｒ２（ｉ）の同相成分をＱ1（ｉ）、直交成分をＱ2（ｉ）
・入れ替え後のベースバンド信号ｒ１（ｉ）の同相成分をＩ1（ｉ）、直交成分をI2（ｉ）、入れ替え後のベースバンド信号ｒ２（ｉ）の同相成分をＱ2（ｉ）、直交成分をＱ1（ｉ）
・入れ替え後のベースバンド信号ｒ１（ｉ）の同相成分をＩ2（ｉ）、直交成分をI1（ｉ）、入れ替え後のベースバンド信号ｒ２（ｉ）の同相成分をＱ2（ｉ）、直交成分をＱ1（ｉ）
・入れ替え後のベースバンド信号ｒ１（ｉ）の同相成分をＩ1（ｉ）、直交成分をＱ2（ｉ）、入れ替え後のベースバンド信号ｒ２（ｉ）の同相成分をＱ1（ｉ）、直交成分をＩ2（ｉ）
・入れ替え後のベースバンド信号ｒ１（ｉ）の同相成分をＱ2（ｉ）、直交成分をＩ1（ｉ）、入れ替え後のベースバンド信号ｒ２（ｉ）の同相成分をＩ2（ｉ）、直交成分をＱ1（ｉ）
・入れ替え後のベースバンド信号ｒ１（ｉ）の同相成分をＱ2（ｉ）、直交成分をＩ1（ｉ）、入れ替え後のベースバンド信号ｒ２（ｉ）の同相成分をＱ1（ｉ）、直交成分をＩ2（ｉ）
・入れ替え後のベースバンド信号ｒ２（ｉ）の同相成分をＩ1（ｉ）、直交成分をI2（ｉ）、入れ替え後のベースバンド信号ｒ１（ｉ）の同相成分をＱ1（ｉ）、直交成分をＱ2（ｉ）
・入れ替え後のベースバンド信号ｒ２（ｉ）の同相成分をＩ2（ｉ）、直交成分をI1（ｉ）、入れ替え後のベースバンド信号ｒ１（ｉ）の同相成分をＱ1（ｉ）、直交成分をＱ2（ｉ）
・入れ替え後のベースバンド信号ｒ２（ｉ）の同相成分をＩ1（ｉ）、直交成分をI2（ｉ）、入れ替え後のベースバンド信号ｒ１（ｉ）の同相成分をＱ2（ｉ）、直交成分をＱ1（ｉ）
・入れ替え後のベースバンド信号ｒ２（ｉ）の同相成分をＩ2（ｉ）、直交成分をI1（ｉ）、入れ替え後のベースバンド信号ｒ１（ｉ）の同相成分をＱ2（ｉ）、直交成分をＱ1（ｉ）
・入れ替え後のベースバンド信号ｒ２（ｉ）の同相成分をＩ1（ｉ）、直交成分をＱ2（ｉ）、入れ替え後のベースバンド信号ｒ１（ｉ）の同相成分をＩ2（ｉ）、直交成分をＱ1（ｉ）
・入れ替え後のベースバンド信号ｒ２（ｉ）の同相成分をＩ1（ｉ）、直交成分をＱ2（ｉ）、入れ替え後のベースバンド信号ｒ１（ｉ）の同相成分をＱ1（ｉ）、直交成分をＩ2（ｉ）
・入れ替え後のベースバンド信号ｒ２（ｉ）の同相成分をＱ2（ｉ）、直交成分をＩ1（ｉ）、入れ替え後のベースバンド信号ｒ１（ｉ）の同相成分をＩ2（ｉ）、直交成分をＱ1（ｉ）
・入れ替え後のベースバンド信号ｒ２（ｉ）の同相成分をＱ2（ｉ）、直交成分をＩ1（ｉ）、入れ替え後のベースバンド信号ｒ１（ｉ）の同相成分をＱ1（ｉ）、直交成分をＩ2（ｉ）
としてもよい。また、上述では、２ストリームの信号に対し両者の信号処理を行い、両者の信号処理後の信号の同相成分と直交成分の入れ替えについて説明したが、これに限ったものではなく、２ストリームより多い信号に対し両者の信号処理後を行い、両者の信号処理後の信号の同相成分と直交成分の入れ替えを行うことも可能である。
【手続補正４０】
【補正対象書類名】明細書
【補正対象項目名】０３５６
【補正方法】変更
【補正の内容】
【０３５６】
また、上記の例では、同一時刻（同一周波数（（サブ）キャリア））のベースバンド信号の入れ替えを説明しているが、同一時刻のベースバンド信号の入れ替えでなくてもよい。例として、以下のように記述することができる
・入れ替え後のベースバンド信号ｒ１（ｉ）の同相成分をＩ1（ｉ＋ｖ）、直交成分をＱ2（ｉ＋ｗ）、入れ替え後のベースバンド信号ｒ２（ｉ）の同相成分をＩ2（ｉ＋ｗ）、直交成分をＱ1（ｉ＋ｖ）
・入れ替え後のベースバンド信号ｒ１（ｉ）の同相成分をＩ1（ｉ＋ｖ）、直交成分をI2（ｉ＋ｗ）、入れ替え後のベースバンド信号ｒ２（ｉ）の同相成分をＱ1（ｉ＋ｖ）、直交成分をＱ2（ｉ＋ｗ）
・入れ替え後のベースバンド信号ｒ１（ｉ）の同相成分をＩ2（ｉ＋ｗ）、直交成分をI1（ｉ＋ｖ）、入れ替え後のベースバンド信号ｒ２（ｉ）の同相成分をＱ1（ｉ＋ｖ）、直交成分をＱ2（ｉ＋ｗ）
・入れ替え後のベースバンド信号ｒ１（ｉ）の同相成分をＩ1（ｉ＋ｖ）、直交成分をI2（ｉ＋ｗ）、入れ替え後のベースバンド信号ｒ２（ｉ）の同相成分をＱ2（ｉ＋ｗ）、直交成分をＱ1（ｉ＋ｖ）
・入れ替え後のベースバンド信号ｒ１（ｉ）の同相成分をＩ2（ｉ＋ｗ）、直交成分をI1（ｉ＋ｖ）、入れ替え後のベースバンド信号ｒ２（ｉ）の同相成分をＱ2（ｉ＋ｗ）、直交成分をＱ1（ｉ＋ｖ）
・入れ替え後のベースバンド信号ｒ１（ｉ）の同相成分をＩ1（ｉ＋ｖ）、直交成分をＱ2（ｉ＋ｗ）、入れ替え後のベースバンド信号ｒ２（ｉ）の同相成分をＱ1（ｉ＋ｖ）、直交成分をＩ2（ｉ＋ｗ）
・入れ替え後のベースバンド信号ｒ１（ｉ）の同相成分をＱ2（ｉ＋ｗ）、直交成分をＩ1（ｉ＋ｖ）、入れ替え後のベースバンド信号ｒ２（ｉ）の同相成分をＩ2（ｉ＋ｗ）、直交成分をＱ1（ｉ＋ｖ）
・入れ替え後のベースバンド信号ｒ１（ｉ）の同相成分をＱ2（ｉ＋ｗ）、直交成分をＩ1（ｉ＋ｖ）、入れ替え後のベースバンド信号ｒ２（ｉ）の同相成分をＱ1（ｉ＋ｖ）、直交成分をＩ2（ｉ＋ｗ）
・入れ替え後のベースバンド信号ｒ２（ｉ）の同相成分をＩ1（ｉ＋ｖ）、直交成分をI2（ｉ＋ｗ）、入れ替え後のベースバンド信号ｒ１（ｉ）の同相成分をＱ1（ｉ＋ｖ）、直交成分をＱ2（ｉ＋ｗ）
・入れ替え後のベースバンド信号ｒ２（ｉ）の同相成分をＩ2（ｉ＋ｗ）、直交成分をI1（ｉ＋ｖ）、入れ替え後のベースバンド信号ｒ１（ｉ）の同相成分をＱ1（ｉ＋ｖ）、直交成分をＱ2（ｉ＋ｗ）
・入れ替え後のベースバンド信号ｒ２（ｉ）の同相成分をＩ1（ｉ＋ｖ）、直交成分をI2（ｉ＋ｗ）、入れ替え後のベースバンド信号ｒ１（ｉ）の同相成分をＱ2（ｉ＋ｗ）、直交成分をＱ1（ｉ＋ｖ）
・入れ替え後のベースバンド信号ｒ２（ｉ）の同相成分をＩ2（ｉ＋ｗ）、直交成分をI1（ｉ＋ｖ）、入れ替え後のベースバンド信号ｒ１（ｉ）の同相成分をＱ2（ｉ＋ｗ）、直交成分をＱ1（ｉ＋ｖ）
・入れ替え後のベースバンド信号ｒ２（ｉ）の同相成分をＩ1（ｉ＋ｖ）、直交成分をＱ2（ｉ＋ｗ）、入れ替え後のベースバンド信号ｒ１（ｉ）の同相成分をＩ2（ｉ＋ｗ）、直交成分をＱ1（ｉ＋ｖ）
・入れ替え後のベースバンド信号ｒ２（ｉ）の同相成分をＩ1（ｉ＋ｖ）、直交成分をＱ2（ｉ＋ｗ）、入れ替え後のベースバンド信号ｒ１（ｉ）の同相成分をＱ1（ｉ＋ｖ）、直交成分をＩ2（ｉ＋ｗ）
・入れ替え後のベースバンド信号ｒ２（ｉ）の同相成分をＱ2（ｉ＋ｗ）、直交成分をＩ1（ｉ＋ｖ）、入れ替え後のベースバンド信号ｒ１（ｉ）の同相成分をＩ2（ｉ＋ｗ）、直交成分をＱ1（ｉ＋ｖ）
・入れ替え後のベースバンド信号ｒ２（ｉ）の同相成分をＱ2（ｉ＋ｗ）、直交成分をＩ1（ｉ＋ｖ）、入れ替え後のベースバンド信号ｒ１（ｉ）の同相成分をＱ1（ｉ＋ｖ）、直交成分をＩ2（ｉ＋ｗ）
図５５は、上記の記載を説明するためのベースバンド信号入れ替え部５５０２を示す図である。図５５に示すように、両者の信号処理後のベースバンド信号ｚ１（ｉ）５５０１＿１、ｚ２（ｉ）５５０１＿２において、両者の信号処理後のベースバンド信号ｚ１（ｉ）５５０１＿１の同相Ｉ成分をＩ1（ｉ）、直交成分をＱ1（ｉ）とし、両者の信号処理後のベースバンド信号ｚ２（ｉ）５５０１＿２の同相Ｉ成分をＩ2（ｉ）、直交成分をＱ2（ｉ）とする。そして、入れ替え後のベースバンド信号ｒ１（ｉ）５５０３＿１の同相成分をＩr1（ｉ）、直交成分をＱr1（ｉ）、入れ替え後のベースバンド信号ｒ２（ｉ）５５０３＿２の同相成分をＩr2（ｉ）、直交成分をＱr2（ｉ）とすると、入れ替え後のベースバンド信号ｒ１（ｉ）５５０３＿１の同相成分Ｉr1（ｉ）、直交成分Ｑr1（ｉ）、入れ替え後のベースバンド信号ｒ２（ｉ）５５０３＿２の同相成分Ｉr2（ｉ）、直交成分をＱr2（ｉ）は上述で説明したいずれかであらわされるものとする。なお、この例では、同一時刻（同一周波数（（サブ）キャリア））の両者の信号処理後のベースバンド信号の入れ替えについて説明したが、上述のように、異なる時刻（異なる周波数（（サブ）キャリア））の両者の信号処理後のベースバンド信号の入れ替えであってもよい。
【手続補正４１】
【補正対象書類名】明細書
【補正対象項目名】０３７４
【補正方法】変更
【補正の内容】
【０３７４】
さらに、半導体技術の進歩又は派生する別技術によりＬＳＩに置き換わる集積回路化の技術が登場すれば、当然、その技術を用いて機能ブロックの集積化を行っても良い。バイオ技術の適用等が可能性としてあり得る。